(57)【要約】  塗料供給装置が、ハンドル（１２）と、ハンドル（１２）に結合され、塗料が吐出される前方端（１８）へ向かって延びる胴部（１４）とを具備する。塗料供給装置には第１の要素が備えられている。第２の要素が第１の要素と相補形の部分を備える。第２の要素は、供給装置の動作に関連して使用される工具を具備している。
2009511262.tif 000002
【特許請求の範囲】
【請求項１】
ハンドルと、
前記ハンドルに結合され、塗料が吐出される前方端へ向かって延びる胴部と、
第１の閉鎖体装置を備える開口を含んだポートと、
前記ポートを閉鎖するために前記第１の閉鎖体装置と相補的な第２の閉鎖体装置を備える複合閉鎖体とを具備する塗料供給装置。
【請求項２】
前記閉鎖体の少なくとも１つが工具を具備する請求項１に記載の供給装置。
【請求項３】
前記閉鎖体の少なくとも１つが前記供給装置を支持体に取付ける取付装置を具備する請求項１に記載の供給装置。
【請求項４】
前記ポートは、各閉鎖体を前記供給装置内の構成要素から取外すときに、前記供給装置内の構成要素へのアクセスを提供するアクセスポートを具備する請求項１に記載の供給装置。
【請求項５】
前記第１と第２の閉鎖体装置の一方は、両縁部に溝が形成されており、前記第１と第２の閉鎖体装置の他方は、前記ポートを閉鎖するために前記溝と摺動、係合する相補的舌部を備える両縁部を具備する請求項１に記載の供給装置。
【請求項６】
前記閉鎖体の少なくとも１つは工具を具備する請求項５に記載の供給装置。
【請求項７】
前記閉鎖体の少なくとも１つは、前記供給装置を支持体に取付ける取付装置を具備する請求項５に記載の供給装置。
【請求項８】
前記ポートは、各閉鎖体を前記供給装置内の構成要素から取外すときに、前記供給装置内の構成要素へのアクセスを提供するアクセスポートを具備する請求項５に記載の供給装置。
【請求項９】
前記第１の閉鎖体装置は、溝を備える両縁部を具備し、前記複合閉鎖体の各々は、前記ポートを閉鎖するために、前記溝に摺動、係合する相補的舌部を備える両縁部を具備する請求項５に記載の供給装置。
【請求項１０】
前記閉鎖体の少なくとも１つは、前記供給装置を支持体に取付ける取付装置を具備する請求項９に記載の供給装置。
【発明の詳細な説明】
【技術分野】
【０００１】
本発明は、手持ち式工具の構成に関する。塗装用供給器（以下、場合によってスプレーガンとする）の構成に照らして開示される。しかし、他の用途においても有用であると考えられる。
【背景技術】
【０００２】
多数の手持ち式工具の構成が知られている。関心有る構成が、以下に列挙される米国特許明細書および米国特許出願公開明細書に図示および説明されている。２００３/０００６３２２；６,７１２,２９２；６,６９８,６７０；６,６６９,１１２；６,５７２,０２９；６,４６０,７８７；６,４０２,０５８；ＲＥ３６,３７８；６,２７６,６１６；６,１８９,８０９；６,１７９,２２３；５,８３６,５１７；５,８２９,６７９；５,８０３,３１３；ＲＥ３５/７６９；５,６３９,０２７；５,６１８,００１；５,５８２,３５０；５,５５３,７８８；５,４００,９７１；５,３９５,０５４；Ｄ３４９,５５９；５,３５１,８８７；５,３３２,１５９；５,３３２,１５６；５,３３０,１０８；５,３０３,８６５；５,２９９,７４０；５,２８９,９７４；５,２８４,３０１；５,２８４,２９９；５,２３６,１２９；５,２０９,４０５；５,２０９,３６５；５,１７８,３３０；５,１１９,９９２；５,１１８,０８０；５,１８０,１０４；Ｄ３２５。２４１；５,０９０,６２３；５,０７４,４６６；５,０６４,１１９；５,０５４,６８７；Ｄ３１８,７１２；５,０２２,５９０；４,９９３,６４５；４,９３４,６０７；４,９３４,６０３；４,９２７,０７９；４,９１１,３６７；Ｄ３０５,４５３；Ｄ３０５,４５２；Ｄ３０５,０５７；Ｄ３０３,１３９；４,８４４,３４２；４,７７０,１１７；４,７６０,９６２；４,７５９,５０２；４,７４７,５４６；４,７０２,４２０；４,６１３,０８２；４,６０６,５０１；Ｄ２８７,２６６；４,５３７,３５７；４,５２９,１３１；４,５１３,９１３；４,４８３,４８３；４,４５３,６７０；４,４３７,６１４；４,４３３,８１２；４,４０１,２６８；４,３６１,２８３；Ｄ２７０,３６８；Ｄ２７０,３６７；Ｄ２７０,１８０；Ｄ２７０,１７９；ＲＥ３０,９６８；４,３３１,２９８；４,２４８,３８６；４,２１４,７０９；４,１７４,０７１；４,１７４,０７０；４,１６９,５４５；４,１６５,０２２；Ｄ２５２,０９７；４,１３３,４８３；４,１１６,３６４；４,１１４,５６４；４,１０５,１６４；４,０８１,９０４；４,０３７,５６１；４,０３０,８５７；４,００２,７７７；４,００１,９３５；３,９９０,６０９；３,９６４,６８３；３,９４０,０６１；および３,２６５,３０６。これらの文献の開示内容は、その番号をここに記載することによって本願明細書に組み入れるものである。この文献リストが示すものは、全関連技術の調査が完了したことでも、このリストに挙げたもの以外に関連技術がないことでも、リストに挙げた技術には特許性があることでもない。このようなことが示されていると考えてはならない。
【０００３】
【特許文献１】米国特許出願公開２００３/０００６３２２号明細書
【特許文献２】米国特許第６７１２２９２号明細書
【特許文献３】米国特許第６６９８６７０号明細書
【特許文献４】米国特許第６６６９１１２号明細書
【特許文献５】米国特許第６５７２０２９号明細書
【特許文献６】米国特許第６４６０７８７号明細書
【特許文献７】米国特許第６４０２０５８号明細書
【特許文献８】米国再審査特許第ＲＥ３６３７８号明細書
【特許文献９】米国特許第６２７６６１６号明細書
【特許文献１０】米国特許第６１８９８０９号明細書
【特許文献１１】米国特許第６１７９２２３号明細書
【特許文献１２】米国特許第５８３６５１７号明細書
【特許文献１３】米国特許第５８２９６７９号明細書
【特許文献１４】米国特許第５８０３３１３号明細書
【特許文献１５】米国再審査特許第ＲＥ３５/７６９号明細書
【特許文献１６】米国特許第５６３９０２７号明細書
【特許文献１７】米国特許第５６１８００１号明細書
【特許文献１８】米国特許第５５８２３５０号明細書
【特許文献１９】米国特許第５５５３７８８号明細書
【特許文献２０】米国特許第５４００９７１号明細書
【特許文献２１】米国特許第５３９５０５４号明細書
【特許文献２２】米国意匠特許第Ｄ３４９５５９号明細書
【特許文献２３】米国特許第５３５１８８７号明細書
【特許文献２４】米国特許第５３３２１５９号明細書
【特許文献２５】米国特許第５３３２１５６号明細書
【特許文献２６】米国特許第５３３０１０８号明細書
【特許文献２７】米国特許第５３０３８６５号明細書
【特許文献２８】米国特許第５２９９７４０号明細書
【特許文献２９】米国特許第５２８９９７４号明細書
【特許文献３０】米国特許第５２８４３０１号明細書
【特許文献３１】米国特許第５２８４２９９号明細書
【特許文献３２】米国特許第５２３６１２９号明細書
【特許文献３３】米国特許第５２０９４０５号明細書
【特許文献３４】米国特許第５２０９３６５号明細書
【特許文献３５】米国特許第５１７８３３０号明細書
【特許文献３６】米国特許第５１１９９９２号明細書
【特許文献３７】米国特許第５１１８０８０号明細書
【特許文献３８】米国特許第５１８０１０４号明細書
【特許文献３９】米国意匠特許第Ｄ３２５２４１号明細書
【特許文献４０】米国特許第５０９０６２３号明細書
【特許文献４１】米国特許第５０７４４６６号明細書
【特許文献４２】米国特許第５０６４１１９号明細書
【特許文献４３】米国特許第５０５４６８７号明細書
【特許文献４４】米国意匠特許第Ｄ３１８７１２号明細書
【特許文献４５】米国特許第５０２２５９０号明細書
【特許文献４６】米国特許第４９９３６４５号明細書
【特許文献４７】米国特許第４９３４６０７号明細書
【特許文献４８】米国特許第４９３４６０３号明細書
【特許文献４９】米国特許第４９２７０７９号明細書
【特許文献５０】米国特許第４９１１３６７号明細書
【特許文献５１】米国意匠特許第Ｄ３０５４５３号明細書
【特許文献５２】米国意匠特許第Ｄ３０５４５２号明細書
【特許文献５３】米国意匠特許第Ｄ３０５０５７号明細書
【特許文献５４】米国意匠特許第Ｄ３０３１３９号明細書
【特許文献５５】米国特許第４８４４３４２号明細書
【特許文献５６】米国特許第４７７０１１７号明細書
【特許文献５７】米国特許第４７６０９６２号明細書
【特許文献５８】米国特許第４７５９５０２号明細書
【特許文献５９】米国特許第４７４７５４６号明細書
【特許文献６０】米国特許第４７０２４２０号明細書
【特許文献６１】米国特許第４６１３０８２号明細書
【特許文献６２】米国特許第４６０６５０１号明細書
【特許文献６３】米国意匠特許第Ｄ２８７２６６号明細書
【特許文献６４】米国特許第４５３７３５７号明細書
【特許文献６５】米国特許第４５２９１３１号明細書
【特許文献６６】米国特許第４５１３９１３号明細書
【特許文献６７】米国特許第４４８３４８３号明細書
【特許文献６８】米国特許第４４５３６７０号明細書
【特許文献６９】米国特許第４４３７６１４号明細書
【特許文献７０】米国特許第４４３３８１２号明細書
【特許文献７１】米国特許第４４０１２６８号明細書
【特許文献７２】米国特許第４３６１２８３号明細書
【特許文献７３】米国意匠特許第Ｄ２７０３６８号明細書
【特許文献７４】米国意匠特許第Ｄ２７０３６７号明細書
【特許文献７５】米国意匠特許第Ｄ２７０１８０号明細書
【特許文献７６】米国意匠特許第Ｄ２７０１７９号明細書
【特許文献７７】米国特許第ＲＥ３０９６８号明細書
【特許文献７８】米国特許第４３３１２９８号明細書
【特許文献７９】米国特許第４２４８３８６号明細書
【特許文献８０】米国特許第４２１４７０９号明細書
【特許文献８１】米国特許第４１７４０７１号明細書
【特許文献８２】米国特許第４１７４０７０号明細書
【特許文献８３】米国特許第４１６９５４５号明細書
【特許文献８４】米国特許第４１６５０２２号明細書
【特許文献８５】米国意匠特許第Ｄ２５２０９７号明細書
【特許文献８６】米国特許第４１３３４８３号明細書
【特許文献８７】米国特許第４１１６３６４号明細書
【特許文献８８】米国特許第４１１４５６４号明細書
【特許文献８９】米国特許第４１０５１６４号明細書
【特許文献９０】米国特許第４０８１９０４号明細書
【特許文献９１】米国特許第４０３７５６１号明細書
【特許文献９２】米国特許第４０３０８５７号明細書
【特許文献９３】米国特許第４００２７７７号明細書
【特許文献９４】米国特許第４００１９３５号明細書
【特許文献９５】米国特許第３９９０６０９号明細書
【特許文献９６】米国特許第３９６４６８３号明細書
【特許文献９７】米国特許第３９４００６１号明細書
【特許文献９８】米国特許第３２６５３０６号明細書
【発明の開示】
【課題を解決するための手段】
【０００４】
本発明の一態様によれば、塗料供給装置は、ハンドルと、ハンドルに結合され、塗料が通過する前方端に向かって延びる胴部と、第１の閉鎖体装置を備える開口を具備するポートと、複合閉鎖体とを具備する。複合閉鎖体の各々は、ポートを閉鎖するために第１の閉鎖体装置と相補的な第２の閉鎖体装置を備える。
【０００５】
本発明のこの態様によれば、具体的には、第１と第２の閉鎖体装置の一方は、溝を備える両縁部を具備し、第１と第２の閉鎖体装置の他方は、ポートを閉鎖するために溝と摺動、係合する相補的舌部を備える両縁部を具備する。
【０００６】
本発明のこの態様によれば、さらに具体的には、第１の閉鎖体装置は、溝を備える両縁部を具備し、複合閉鎖体の各々は、ポートを閉鎖するために、溝に摺動、係合する相補的舌部を備える両縁部を具備する。
【０００７】
本発明のこの態様によれば、具体的には、閉鎖体の少なくとも１つは工具を具備する。
本発明のこの態様によれば、具体的には、閉鎖体の少なくとも１つは、供給装置を支持体に取付ける取付装置を具備する。
【０００８】
本発明のこの態様によれば、具体的には、ポートは、各閉鎖体を供給装置内の構成要素から取外すときに構成要素へのアクセスを提供するアクセスポートを具備する。
【０００９】
本発明のこの態様によれば、具体的には、アクセスポートは、ハンドルと胴部との接合部に形成される。
【００１０】
本発明の他の態様によれば、塗料供給装置は、ハンドルと、ハンドルに結合され、塗料が通過する前方端に向かって延びる胴部とを具備する。第１構成要素は供給装置に設けられる。複合第２構成要素の各々は、第１構成要素と相補的な部分を具備する。複合第２構成要素の少なくとも１つは、供給装置の操作と連動して使用する工具を具備する。
【００１１】
本発明のこの態様によれば、具体的には、第１と第２の閉鎖体装置の一方は、溝を備える両縁部を具備し、第１と第２の閉鎖体装置の他方は、溝と摺動、係合する相補的舌部を備える両縁部を具備する。
【００１２】
本発明のこの態様によれば、具体的には、第１構成要素は、溝を備える両縁部を具備し、複合第２構成要素の各々は、溝と摺動、係合する相補的舌部を備える両縁部を具備する。
【００１３】
本発明のこの態様によれば、具体的には、複合第２構成要素の少なくとも１つは、供給装置を支持体に掛けるフックを具備する。
【発明を実施するための最良の形態】
【００１４】
本発明は、以下の説明および本発明を図示する添付図面を参照することによって最もよく理解できる。
【００１５】
まず、図１および図２を参照すると、スプレーガン１０は、ハンドル１２と、このハンドルと後方端１６で結合され、ノズルを備える前方端１８に向かって前方に延びる胴部１４とを具備し、スプレーガン１０の前方に置かれた物品を塗装するために、このノズルを通して材料が供給される。スプレーガンは、空気式、無気式、エアアシステッド無気式、高容量低圧式（ＨＶＬＰ）などの多くの公知の方式のいずれでもよい。塗料２０、圧縮空気２２、高圧ＤＣ静電位源２４、低圧ＤＣ（２６）またはＡＣ（２８）電位源（内部高圧ＤＣ静電位発生器を有するスプレーガン１２用）から選択された１つなどのような、使用しているスプレーガン１２の方式に適した被供給物が通常は提供される。被供給物２０、２２、２４、２６、２８は通常、適切なコネクタを介してハンドル１２の下端３０または後方端１６と前方端１８との間の胴部１４の下側に結合される。
【００１６】
従来、このようなスプレーガン１２は、通常、フック３２を備えており、このフックによって、不使用時にスプレーガン１２を、例えばスプレー室支持体３４に掛けることができる。場合によっては、フック３２は、例えば、塗装をするための狭い空間にスプレーガン１２を導入できるようにするために取外し可能であり、さまざまなユーザの要求および／または好みに合わせるために異なる構成のフックを使用することができる。現在のスプレーガン１２では、スプレーガン１２の特定の内部構成要素にアクセスするために、アクセスポート３６がハンドル１２／胴部１４の接合部の後方に設けられる。例えば、スプレーガン１２が供給源２４からの高圧静電位を備える場合、胴部は、このようなスプレーガン１２が備える塗料充填電極（図示しない）を介しての放電を弱めるための高価値抵抗器を具備するのが一般的である。このような抵抗器には、アクセスポート３６からアクセスすることができる。
【００１７】
このようなアクセスポート３６からアクセスするのが好都合なスプレーガン１２内の装備の他の例には、インバータと、昇圧器と、整流器／乗算器とを備えるスプレーガン１２があり、供給源２６から供給される低ＤＣ電圧を低ＡＣ電圧に変換させ、電圧昇圧器を用いてさらに高い電圧までＡＣ電圧を昇圧させ、例えば、米国特許第５１５９５４４号明細書、米国特許第５９７８２４４号明細書、米国特許第６１４４５７０号明細書および米国特許第６４２３１４２号明細書に図示および説明される一般的な型式のコックロフト・ウォルトン(Cockcroft-Walton)乗算器を例えば用いて、昇圧された電圧を乗算する。これら参考文献の開示内容は、その番号を記載することによって本願明細書に組み入れるものである。この文献リストが示すものは、全関連技術の調査が完了したことでも、このリストに挙げたもの以外に関連技術がないことでも、リストに挙げた技術には特許性があることでもない。このようなことが示されていると考えてはならない。ポート３６からは、インバータ、昇圧器および乗算器のうちの１つかそれ以上にアクセス可能であってもよい。
【００１８】
いずれの場合も、図２〜図６を参照すると、アクセスポートは、開口３８と、開口を閉鎖する閉鎖体４０とを具備する。開口３８および閉鎖体４０の一方、ここでは開口３８は、開口３８の両縁部４４に沿って溝４２を備える。開口３８および閉鎖体４０の他方、ここでは閉鎖体４０は、その両縁部４８に沿って相補的舌部４６を備える。舌部４６は摺動可能に溝４２に受容され、閉鎖体４０はポート３６を閉鎖する位置へと摺動する。具体的には、閉鎖体４０は、胴部１４をハンドル１２に取付けることによって所定の位置に保持される。これとは別に、閉鎖体４０は、開口３８への堅固な滑りばめであってもよい。さらにこれとは別に、閉鎖体４０およびハンドル１２または胴部１４の表面に設けられた戻り止めと切り込み、ネジ部品と相補的穴、などの適切な締結装置を、開口３８において閉鎖体４０を閉鎖方向に保持するために設けてもよい。溝５０は、スプレー塗装を実施している区域に発生することの多い塗料粒子などの空中浮遊汚染物質の侵入に対して、スプレーガン１２の内部を封止するシール用Ｏリング５２（断面で図示する）を収容するために、閉鎖体４０の周囲に少なくとも部分的に設けられる。
【００１９】
ここで図２および図７〜図１２を参照すると、閉鎖体４０は、所望の構成のフック６０を具備する閉鎖体４０′と交換可能である。閉鎖体４０と同様に、閉鎖体４０′は、その両縁部５８に沿って舌部４６′を具備する。舌部４６′は溝４２に摺動自在に受容され、閉鎖体４０′は所定の位置に摺動されてポート３６を閉鎖する。この場合も、閉鎖体４０′は、胴部１４をハンドル１２に取付けることによって所定の位置に保持されてもよく、あるいは開口３８への堅固な滑りばめであってもよく、あるいは適切な締結装置を、開口３８において閉鎖体４０′を閉鎖方向に保持するために設けてもよい。この場合も、溝５０′は、スプレー塗装を実施している区域に発生することの多い塗料粒子などの空中浮遊汚染物質の侵入に対して、スプレーガン１２の内部を封止するシール用Ｏリング５２′（断面で図示する）を収容するために、閉鎖体４０′の周囲に少なくとも部分的に設けられる。
【００２０】
ここで図２および図１３〜図１６を参照すると、閉鎖体４０は、所望の構成の別の工具６０′を具備する閉鎖体４０″と交換可能である。この例では、工具６０′はドア開口棒を具備する。閉鎖体４０、４０′と同様に、閉鎖体４０″は、その両縁部５８″に沿って舌部４６″を具備する。舌部４６″は溝４２に摺動自在に受容され、閉鎖体４０″は所定の位置に摺動されてポート３６を閉鎖する。この場合も、閉鎖体４０″は、胴部１４をハンドル１２に取付けることによって所定の位置に保持されてもよく、あるいは開口３８への堅固な滑りばめであってもよく、あるいは適切な締結装置を、開口３８において閉鎖体４０″を閉鎖方向に保持するために設けてもよい。この場合も、溝５０″は、スプレー塗装を実施している区域に発生することの多い塗料粒子などの空中浮遊汚染物質の侵入に対して、スプレーガン１２の内部を封止するシール用Ｏリング５２″（断面で図示する）を収容するために、閉鎖体４０″の周囲に少なくとも部分的に設けられる。
【００２１】
閉鎖体４０、４０′、４０″は、任意の適切な材料から構成することが可能である。典型的な実施例においては、ハンドル１２および胴部１４の一方または両方を任意の適切な充填または無充填の樹脂またはポリマ、例えば、グレー炭素繊維ナイロン１２から成形でき、閉鎖体４０、４０′、４０″は、スプレーガン１０およびフック６０あるいは他の工具６０′に必要とされる耐久性を考慮して、これと同一か類似する材料で成形できる。
【図面の簡単な説明】
【００２２】
【図１】本発明に組み込まれるスプレーガンの、部分的にブロック図を含む側面図である。
【図２】図１に示したスプレーガンの切断線２−２に概ね沿った部分端面図である。
【図３】本発明によって構成された構成要素の側面図である。
【図４】図３に示される構成要素の端面図である。
【図５】図３に示した端部の反対側の端部から見た、図３〜図４に示される構成要素の端面図である。
【図５ａ】図５の拡大詳細図である。
【図６】図３〜図５ａに示した構成要素の一部破断平面図である。
【図７】本発明によって構成された構成要素の側面図である。
【図８】図７に示した構成要素の端面図である。
【図９】図８に示した端部の反対側の端部から見た、図７〜図８に示される構成要素の端面図である。
【図１０】図７〜図９に示した構成要素の平面図である。
【図１１】図７〜図１０に示した構成要素の図７の切断線１１−１１に概ね沿った部分断面図である。
【図１２】図７の切断線１２−１２に概ね沿った図７〜図１１に示した構成要素の部分断面図である。
【図１３】本発明によって構成された構成要素の側面図である。
【図１４】図１３に示した構成要素の端面図である。
【図１５】図１４に示した端部の反対側の端部から見た、図１３〜図１４に示される構成要素の端面図である。
【図１５ａ】図１５の拡大詳細図である。
【図１６】図１３〜図１５ａに示した構成要素の平面図である。
【符号の説明】
【００２３】
１０    スプレーガン
１２    ハンドル
１４    胴部
１６    後方端
１８    前方端
２０    塗料
２２    圧縮空気
２４    高圧ＤＣ静電位源
２６    低圧ＤＣ静電位源
２８    低圧ＡＣ電位源
【図１】
2009511262.tif 000003
【図２】
2009511262.tif 000004
【図３】
2009511262.tif 000005
【図４】
2009511262.tif 000006
【図５】
2009511262.tif 000007
【図５ａ】
2009511262.tif 000008
【図６】
2009511262.tif 000009
【図７】
2009511262.tif 000010
【図８】
2009511262.tif 000011
【図９】
2009511262.tif 000012
【図１０】
2009511262.tif 000013
【図１１】
2009511262.tif 000014
【図１２】
2009511262.tif 000015
【図１３】
2009511262.tif 000016
【図１４】
2009511262.tif 000017
【図１５】
2009511262.tif 000018
【図１５ａ】
2009511262.tif 000019
【図１６】
2009511262.tif 000020
【国際調査報告】
2009511262.tif 000021
2009511262.tif 000022